(57)【要約】【課題】梃子棒の傾動操作により、リード線を接続する端子台にあって、該梃子棒の操作が容易であり、かつ梃子棒として多様なものを利用し得る構成を提供する。【解決手段】操作溝８を形成する両側壁部１６ａ，１６ｂに、内方へ対向状に突出する支持突部９ａ，９ｂを夫々形成し、該操作溝８を該支持突部９ａ，９ｂの間で狭隘な括れ形状として、操作溝８に挿入した梃子棒８２の側縁を該支持突部９ａ，９ｂ対で傾動可能に支持するようにした。【選択図】  図１７
2004241152.tif 000002
【特許請求の範囲】
【請求項１】
杆状導通片を絶縁性基板に横断状に装着し、リード線が杆状導通片に電気的に接続される複数の接続部を、杆状導通片に沿って具備する端子台において、
各接続部は、
杆状導通片に一体的に形成されて刃先を導通片の長手方向に沿って突出するＶ形破断刃と、
ほぼ上下方向のリード線挿入孔と梃子棒貫通孔とが並成され、杆状導通片に沿って移動して、リード線挿入孔がＶ形破断刃から退避する開放位置とＶ形破断刃と上下で重なる接続位置とに位置決めされる可動押圧片と、
杆状導通片の底面に形成された梃子棒作動口と、
絶縁性基板に形成された、梃子棒貫通孔及び梃子棒作動口とから挿入された梃子棒を傾動可能に内部で支持する操作溝とを備え、
操作溝に挿入された梃子棒の傾動作用による梃子棒貫通孔の従動に伴って可動押圧片を移動して、リード線挿入孔に挿入されたリード線を接続位置でＶ形破断刃にくい込ませて、その導線と杆状導通片とを電気的に接続するようにしたものにあって、
操作溝を形成する両側壁部に、内方へ対向状に突出する支持突部を夫々形成し、該操作溝を該支持突部間で狭隘な括れ形状として、操作溝に挿入した梃子棒の側縁を該支持突部対で傾動可能に支持するようにしたことを特徴とする端子台。
【発明の詳細な説明】
【０００１】
【発明の属する技術分野】
本発明は、複数のリード線を導通片を介して電気的に接続するための端子台に関するものである。
【０００２】
【従来の技術】
杆状導通片を絶縁性基板に横断状に装着し、リード線が杆状導通片に電気的に接続される複数の接続部を、杆状導通片に沿って具備する端子台は種々提案されている。これらの端子台は、通常、前後に重ね合わせられて据付レール上に保持される（例えば、特許文献１参照。）。
【０００３】
また、上述の端子台にあって、各接続部は、杆状導通片に一体的に形成されて刃先を導通片の長手方向に沿って突出するＶ形破断刃と、ほぼ上下方向のリード線挿入孔と梃子棒貫通孔とが形成され、杆状導通片に沿って移動して、リード線挿入孔がＶ形破断刃から退避する開放位置とＶ形破断刃と上下で重なる接続位置とに位置決めされる可動押圧片と、杆状導通片の底面に形成された梃子棒作動口と、絶縁性基板に形成され、梃子棒貫通孔及び梃子棒作動口とから挿入された梃子棒の先端を支持底縁で傾動可能に支持する操作溝とを備え、操作溝の支持底縁を支点とした梃子棒の傾動作用により梃子棒貫通孔の従動に伴って可動押圧片を移動して、接続位置でリード線挿入孔に挿入されたリード線をＶ形破断刃にくい込ませて、その導線とＶ形破断刃とを電気的に接続するようにした構成が、本発明者により提案され、既に特許出願している（特願２００２−０９０６６２）。
【０００４】
かかる端子台１’にあっては、図２２に示すように、操作溝８’は画成壁４’により正面略Ｖ形に区画形成され、その上端は拡開して梃子棒作動口２３’及び梃子棒貫通孔３２’と連通する。そして、梃子棒８２を梃子棒貫通孔３２’と梃子棒作動口２３’を介して、該操作溝８に挿入する。その先端を、操作溝８の窄んだ支持底縁１７’に押し付けた状態で左右に傾動し、該支持底縁１７’を支点とする梃子作用により梃子棒貫通孔３２’の内面を押圧して、該梃子棒８２の傾動に従って可動押圧片３０’を杆状導通片２０’に沿って移動させるようになっている。なお、ここで用いる梃子棒８２は、専用のものでなく、ドライバー等の金属棒を用いるものである。
【０００５】
【特許文献１】
特開平１０−２２４４５９号公報
【０００６】
【発明が解決しようとする課題】
しかし、上述の端子台にあっては、梃子棒の傾動時に下方への押圧力が弱いと、傾動途中で梃子棒先端が支持底縁から外れて、可動押圧片の移動が中断してしまう。このため、梃子棒は、強く下方に押圧した状態で傾動させなけらばならず、リード線の接続操作は煩雑なものとなっている。また、正面Ｖ形の操作溝の支持底縁に当接し得るよう、梃子棒として利用可能なものは先端形状がＶ形の鋭利なものに限られており、利便性に欠けるという問題も生じている。
【０００７】
本発明は、かかる問題の解決を試みたものであって、梃子棒を安定して支持し、かつ梃子棒としてより多様な形状のものを利用し得る端子台の提供を試みたものである。
【０００８】
【課題を解決するための手段】
本発明は、杆状導通片を絶縁性基板に横断状に装着し、リード線が杆状導通片に電気的に接続される複数の接続部を、杆状導通片に沿って具備する端子台において、各接続部は、杆状導通片に一体的に形成されて刃先を導通片の長手方向に沿って突出するＶ形破断刃と、ほぼ上下方向のリード線挿入孔と梃子棒貫通孔とが並成され、杆状導通片に沿って移動して、リード線挿入孔がＶ形破断刃から退避する開放位置とＶ形破断刃と上下で重なる接続位置とに位置決めされる可動押圧片と、杆状導通片の底面に形成された梃子棒作動口と、絶縁性基板に形成された、梃子棒貫通孔及び梃子棒作動口とから挿入された梃子棒を傾動可能に内部で支持する操作溝とを備え、操作溝に挿入された梃子棒の傾動作用による梃子棒貫通孔の従動に伴って可動押圧片を移動して、リード線挿入孔に挿入されたリード線を接続位置でＶ形破断刃にくい込ませて、その導線と杆状導通片とを電気的に接続するようにしたものにあって、操作溝を形成する両側壁部に、内方へ対向状に突出する支持突部を夫々形成し、該操作溝を該支持突部間で狭隘な括れ形状として、操作溝に挿入した梃子棒の側縁を該支持突部対で傾動可能に支持するようにしたことを特徴とする端子台である。
【０００９】
かかる構成にあっては、操作溝に挿入した梃子棒は、両支持突部間の狭隘部位を中心として傾動可能となる。従って、可動押圧片の開放位置で、梃子棒を操作溝の底部まで挿入し、該梃子棒を接続位置側へ傾動すると、開放位置側の支持突部を支点とする梃子作用により、梃子棒の側縁が梃子棒貫通孔の内面を接続位置側へ押圧して、可動押圧片を接続位置へ移動させる。一方、可動押圧片の接続位置で、該梃子棒を開放位置側へ傾動すると、操作溝内の接続位置側の支持突部を支点とする梃子作用により、梃子棒の側縁が梃子棒貫通孔内面を開放位置側へ押圧し、可動押圧片を開放位置へ移動させる。このように、梃子棒は、その側縁を支持突部対に支持されて、該支持突部対を支点として、可動押圧片を押圧し、移動させる。このため、梃子棒の傾動中に梃子棒が多少上下移動しても、梃子棒先端が支持突部間から抜けない限り、梃子棒が支点から外れることがないから、梃子棒を操作溝の底縁に押圧することを要せず、リード線を容易に接続可能となる。また、梃子棒の側縁を支持することで、梃子棒は先端が鋭利なものだけでなく、多様なものを利用可能となる。
【００１０】
【発明の実施の形態】
図１は、本発明の一実施例に係る端子台１を示す。この端子台１はポリカーボネイト等絶縁性樹脂材料によって板状に形成された左右対称の絶縁性基板２を主体部とする。そして該絶縁性基板２上に杆状導通片２０を横断状に装着し、さらに該杆状導通片２０の両側に可動押圧片３０，３０を移動可能に装着することにより、端子台１の両側に、リード線８０を接続するための接続部３，３が配設される。すなわち、かかる端子台１では、可動押圧片３０，３０のリード線挿入孔３１に夫々リード線８０，８０を挿入して、杆状導通片２０の左右の側部に接続することで、該杆状導通片２０を介して左右のリード線８０が電気的に接続される。以下にこの端子台１の各部を詳細に説明する。
【００１１】
絶縁性基板２は、図２に示すように、背板１０から所定肉厚で画成壁４が突出することにより、座定溝面５，５などを一面側で開放状に形成する。すなわち、絶縁性基板２の上面は逆三角状の肉厚頂部７から両側へ等角度で傾斜したへ字状をなし、その傾斜辺の内側を、画成壁４により傾斜辺に沿ってほぼ矩形状に区画された座定溝面５，５とし、さらに座定溝面５，５上を上方へ開放する結線口６，６としている。また前記座定溝面５，５の底部には、上方へ開放して、梃子棒８２（図１８，１９参照）の先端部が挿入する操作溝８が画成壁４により区画形成されている。かかる操作溝８は本発明の要部にかかり、詳細は後述する。
【００１２】
杆状導通片２０は、図１に示すように、座定溝面５，５に差し渡して装着され、絶縁性基板２の背板１０に対して、へ字状に屈曲した杆状をなす。この杆状導通片２０の、各座定溝面５，５に装着される各辺部は接続部３，３の主部を構成する。
【００１３】
さらに詳細に説明すると、杆状導通片２０は、図３〜６で示すように、各座定溝面５，５に装着される各辺部にあって、底面部２１ａと、該底面部２１ａの両側から起立する側面部２１ｂ，２１ｂとからなる断面コ字状をなす。また、その図３中の両側では、側面部２１ｂ，２１ｂから舌片部２１ｃ，２１ｃが湾曲状に延出して、その端縁を接触状に対向させており、舌片部２１ｃ，２１ｃの内側端縁に、刃先を杆状導通片２０の長手方向に沿って突出するＶ形破断刃２２を削成している。さらに、底面部２１ａには、操作溝８の開口に臨む部位を切欠して、梃子棒作動口２３，２３を形成している。
【００１４】
可動押圧片３０は、図１に示すように、夫々左右の接続部３，３にあって、杆状導通片２０の側面部２１ｂ，２１ｂ間に、該杆状導通片２０に沿って移動可能に装着される。この可動押圧片３０は、表裏対称に形成されたナイロン等の絶縁性合成樹脂材料よりなり、図７，８に示すように、外側（図７，８中の右側）にリード線挿入孔３１が、内側（図７，８中の左側）に梃子棒貫通孔３２が上下方向へ夫々形成される。また、リード線挿入孔３１と梃子棒貫通孔３２との間には、作動孔４４が上下方向に形成される。
【００１５】
さらに図７〜１３に従って、詳しく述べる。なお、以下の説明では、可動押圧片３０の内方とは図７中の左方を指し、外方とは図７中の右方を指す。前記可動押圧片３０は、正面鉤形をなす肉厚な基部３３と、該基部３３の外側下部に形成され、正面略Ｕ字形をなす肉薄な押圧部３４とを備える。この押圧部３４は杆状導通片２０に嵌入するように装着されて、可動押圧片３０の接続位置ＩＩでは、前記杆状導通片２０の側面部２１ｂ，２１ｂ及び舌片部２１ｃ，２１ｃ間に、押圧部３４全体が嵌入する。すなわち、該押圧部３４の上縁と基部３３の外側部下縁との間に、接続位置ＩＩでＶ形破断刃２２がくい込むこととなる。
【００１６】
前記梃子棒貫通孔３２は、基部３３の内側部に、杆状導通片２０の長尺方向と直交するようにして上下に貫通状に形成される。そして、ドライバー等からなる梃子棒８２を、梃子棒貫通孔３２及び梃子棒作動口２３を通し、操作溝８に挿入して傾動すると、梃子棒貫通孔３２の内面が該梃子棒８２に押圧され、可動押圧片３０が、内方の開放位置Ｉと外方の接続位置ＩＩとの間を移動するようになっている（図１８，１９参照）。
【００１７】
また、基部３３の上面には、突成部３８が形成される。この突成部３８の上端には、前後に指標凹部９０，９０が形成されており、絶縁性基板２の結線口６，６に形成される開放位置Ｉを示すマーク３９ａや接続位置ＩＩを示すマーク３９ｂ（図２参照）に、該指標凹部９０を一致させることにより、可動押圧片３０の開放位置Ｉと接続位置ＩＩへの位置決めを確実に行い得るようにしている。
【００１８】
作動孔４４は、図７，８に示すように、可動押圧片３０の中央部に上下に形成され、前記突成部３８の上面と、リード線挿入孔３１の側面との間を連通し、その内部には、杆状のリード線挿入確認片４５が密嵌して、昇降可能に保持される。このリード線挿入確認片４５は、下部に切欠部９１が形成された上下に長い杆状をなし、作動孔４４に嵌入した状態で、その切欠部９１をリード線挿入孔３１の開放部３１ｂに露出する。
【００１９】
さらに、基部３３の内側端には、防塵弁４３が一体的に形成される。かかる防塵弁４３は、基部３３の内側端から突成される正面視Ｖ字形の屈曲防塵片４３ａと、該屈曲防塵片４３ａの屈曲部から下方に突成される舌片状の可撓性防塵片４３ｂとで構成される。前記屈曲防塵片４３ａは、左端部に形成される嵌合部６０を、絶縁性基板２の肉厚頂部７に形成される嵌合溝６１（図２参照）に嵌合し、可動押圧片３０の開放位置Ｉでは、可動押圧片３０と肉厚頂部７との間で折り畳まれ、可動押圧片３０の接続位置ＩＩでは、端子台１の外方へ展開し、可動押圧片３０の接続位置ＩＩへの変位後に、可動押圧片３０の内側端と肉厚頂部７との間に生じる間隙を杆状導通片２０の上方で遮蔽する。一方、可撓性防塵片４３ｂは、屈曲防塵片４３ａの伸縮に伴い傾動して、可動押圧片３０の開放位置Ｉで操作溝８方向へ突出し、梃子棒貫通孔３２より挿入された梃子棒８２を該操作溝８へ案内すると共に、可動押圧片３０の接続位置ＩＩで梃子棒貫通孔３２を下方で遮蔽して、該梃子棒貫通孔３２から塵埃が杆状導通片２０上に落下するのを防止する。
【００２０】
また、可動押圧片３０の外側部に形成される前記リード線挿入孔３１は、基部３３外側部を上下に貫通する貫通部３１ａと、該貫通部３１ａの下端と連通し、押圧部３４内で前後に開放する開放部３１ｂとからなり、該開放部３１ｂの下部をリード線挿入端８１の座定位置Ｘとしている。
【００２１】
そして、押圧部３４の外側辺には、舌片状のリード線保持片４６が、内方へ突成される。かかるリード線保持片４６は、リード線８０の挿入時に、リード線挿入端８１に弾接して、該リード線挿入端８１を開放部３１ｂの内側面に押し付けて、該リード線挿入端８１を座定位置Ｘに押し止めるようになっている（図１４参照）。
【００２２】
さらに、押圧部３４の内側辺には、下方に垂下する薄肉保持部４７が形成され、該薄肉保持部４７の下端に両側に突出する杆状の傾動変換片４２が一体的に形成される。そして、この傾動変換片４２の両端のうち、開放部３１ｂに突出する受圧端４８は、リード線８０挿入時にリード線挿入端８１と当接するようにその先端を座定位置Ｘ上方に配置され、一方、作動孔４４下部の開口側へ突出する係合端５０は、その先端を作動孔４４下部の開口から露出するリード線挿入確認片４５の切欠部９１に嵌入する。かかる構成にあっては、図１４に示すように、リード線挿入孔３１の座定位置Ｘにリード線８０を挿入すると、リード線挿入端８１の押圧作用により、リード線挿入確認片４５の上端が、突成部３８上方の確認位置Ｙへ突出して端子台１の外方から視認容易となり、該リード線挿入端８１が座定位置Ｘまで挿入されたことを作業者に報知し得るようになっている。
【００２３】
また、接続位置ＩＩでＶ形破断刃２２が嵌入する押圧部３４の上縁と基部３３の外側部下縁との間には、リード線挿入孔３１の両側傍に位置させて、薄板状の隙間板４５ａ，４５ｂが形成される。かかる隙間板４５ａ，４５ｂは、可動押圧片３０が、開放位置Ｉから接続位置ＩＩに変位する際に、舌片部２１ｃ，２１ｃ間に進入して、リード線８０の被覆が適切に切断されるように、Ｖ形破断刃２２の先端を押し広げる。
【００２４】
そして、押圧部３４の底辺部の前後面には突起３６，３６が形成されており、一方、杆状導通片２０の側面部２１ｂ，２１ｂ内側には突部２５が形成される（図３〜６参照）。そして、この突起３６，３６と突部２５とは、可動押圧片３０が、開放位置Ｉや接続位置ＩＩに位置する状態で相互に当接し、可動押圧片３０を保持する節度手段を構成する。
【００２５】
また、絶縁性基板２の画成壁４の適宜位置に連結孔５５を形成し、さらに背板１０の、該連結孔５５と対向する位置に、該連結突起（図示せず）を形成して、相互に嵌入することにより、端子台１は、前面の開放部を隣接する端子台１の背板１０で遮蔽するようにして、相互に重ね合わせ状に連結する。また最端部の端子台１の画成壁４に端子台１とほぼ同一外形の端板５７が被着される。このようにして端子台１は、図１５，１６で示すように、上述した据付レール７０の連係突部７１，７１に連結片１５，１５を係合して、据付レール７０上に多数重ね合わせ状に連結される。さらに、この端子台列を据付レール７０上で固定するために、該据付レール７０に固定金具７６，７６が螺子７７により固定される。
【００２６】
次に本発明の要部である操作溝８，８について説明する。
上述したように、絶縁性基板２は、背板１０から所定肉厚で画成壁４が突出することにより、座定溝面５，５などを一面側で開放状に形成する。そして操作溝８，８は、図１，２に示すように、前記座定溝面５，５の底部に上方へ開放させて画成壁４により区画形成される。そして、上述したように、杆状導通片２０の底面部２１ａには、操作溝８の上部の開口位置に合わせて梃子棒作動口２３が形成されており、さらに、上方に装着される可動押圧片３０には、開放位置Ｉから接続位置ＩＩに至るまで、操作溝８と連通する梃子棒貫通孔３２が形成される。換言すれば、操作溝８の開口は、少なくとも開放位置Ｉから接続位置ＩＩに至る梃子棒貫通孔３２の作動領域に対向するように形成される。
【００２７】
さらに、図１７に従って詳しく述べる。画成壁４により構成される操作溝８の両側壁１６ａ，１６ｂは、端子台１の内方の内側壁１６ａと、外方の外側壁１６ｂとからなる。そして、該両側壁１６ａ，１６ｂは、操作溝８の内方へ突出して正面く字状をなし、相互に対向状に突出する屈折部位が、梃子棒８２傾動可能に支持する支持突部９ａ，９ｂを構成する。すなわち、該操作溝８，８はこの支持突部９ａ，９ｂの間で狭隘な括れ形状をなし、操作溝８に挿入した梃子棒５２は該支持突部９ａ，９ｂ間を中心に傾動可能に支持されることとなる。また、操作溝８，８の底縁は、凹弧面が形成されており、梃子棒８２の傾動時に先端部が底縁上を円滑に移動可能となっている。
【００２８】
次に、リード線８０の接続部３，３への結線手順を、図１８，１９に従って説明する。
リード線８０の非接続時には、可動押圧片３０は、開放位置Ｉとなっている（図１８（イ）参照）。この状態で、結線口６，６からリード線８０を、リード線挿入孔３１に挿入し、リード線８０の挿入端８１が、座定位置Ｘまで達すると、上述したように、傾動変換片４２が傾動して、リード線挿入確認片４０の上端が確認位置Ｙに突出し、外方から容易に視認可能となる（図１８（ロ）参照）。
【００２９】
そして、梃子棒貫通孔３２及び梃子棒作動口２３を通して梃子棒８２を操作溝８へ挿入し、続いて、該梃子棒８２の上部を端子台１外方へ傾動操作すると、操作溝８の内側の支持突部９ａを支点とする梃子作用により梃子棒８２の側縁が、梃子棒貫通孔３２内面を外方へ押圧する（図１９（ハ）参照）。そして、該梃子棒８２の傾動に伴い、可動押圧片３０は梃子棒貫通孔３２での梃子棒８２の幅変位に相当する分だけ杆状導通片２０に沿って移動して接続位置ＩＩとなる（図１９（ニ）参照）。
【００３０】
この可動押圧片３０の接続位置ＩＩへの変位により、可動押圧片３０は、その押圧部３４が舌片部２１ｃ，２１ｃ内に嵌合し、かつリード線挿入孔３１がＶ形破断刃２２と上下で重なる。そして、これに伴い、リード線挿入孔３１に挿入されたリード線８０は、図２１に示すように、リード線挿入孔３１の内面によりＶ形破断刃２２へ押し付けられ（図２１ロ参照）、舌片部２１ｃ，２１ｃの端縁の間に嵌入して挟圧されることとなる（図２１ハ参照）。ここで、該Ｖ形破断刃２２の刃先は長手方向に沿って突出しているから、リード線８０の被覆８４に刃先が食い込んで、内部の導線８３が切断されない程度に被覆８４が破断され、リード線８０は、その導線部位８３を、舌片部２１ｃ，２１ｃ間で挟圧されて杆状導通片２０と電気的に接続すると共に、引き抜き不可能に保持されることとなる。
【００３１】
また、図２０に示すように、かかるリード線８０の接続状態で、再び梃子棒貫通孔３２及び梃子棒作動口２３を通して梃子棒８２を操作溝８の底部まで挿入し、該梃子棒８２の上部を端子台１内方へ傾動操作すると、操作溝８の外側の支持突部９ｂを支点とする梃子作用により、梃子棒８２の側縁が、梃子棒貫通孔３２内面を内方へ押圧する（図２０（ホ）参照）。そして、該梃子棒８２の傾動に伴い、杆状導通片２０に沿って内方へ移動して、リード線８０がＶ形破断刃２２から退避して、開放位置Ｉへ復帰する（図２０（ヘ）参照）。
【００３２】
このように、梃子棒８２は、支持突部９ａ，９ｂ間を中心に傾動し、該支持突部対９ａ，９ｂを支点とする梃子作用により可動押圧片３０を移動させる。このため梃子棒８２が操作溝８の底縁から多少外れても、梃子棒８２が支持突部９ａ，９ｂ間から抜けない限り、梃子棒８２は、操作溝８内で安定して支持され、可動押圧片３０を容易かつ確実に接続位置ＩＩへ移動させることができる。また、梃子棒８２は側縁を支持されるため、かかる端子台１では、梃子棒８２の先端形状は鋭利なものに限らず多様なものを利用できる。
【００３３】
以上のように実施例を説明したが、本発明は、上記実施例の構成に限定したものではなく、本発明の趣旨の範囲内で適宜変更可能である。例えば、支持突部は、正面く字状の側壁の屈折部で構成する必要はなく、平面から突出する突起状のもので構わない。さらに、操作溝は、リード線の接続部毎に形成されるものであるから、本実施例のように左右に接続部を一箇所ずつ具備する端子台に限らず、三箇所以上の接続部３を具備するものにも本発明を適用できる。
【００３４】
【発明の効果】
操作溝を形成する両側壁部に、内方へ対向状に突出する支持突部を夫々形成し、該操作溝を該支持突部間で狭隘な括れ形状として、操作溝に挿入した梃子棒の側縁を該支持突部対で傾動可能に支持するようにしたから、梃子棒を操作溝の底縁に強く押し付けることなく、容易に可動押圧片の移動させ、リード線を杆状導通片に接続できると共に、梃子棒として、より多様なものを利用可能となる。
【図面の簡単な説明】
【図１】本発明の端子台１を示す正面図である。尚、画成壁４は断面を付して示す。
【図２】絶縁性基板２の正面図である。尚、画成壁４は断面を付して示す。
【図３】杆状導通片２０を一部切欠して示す、正面図である。
【図４】杆状導通片２０の一辺側の平面図である。
【図５】杆状導通片２０の一辺側の側面図である。
【図６】図４のＡ−Ａ断面図である。
【図７】可動押圧片３０及びリード線挿入確認片４０の正面図である。
【図８】リード線挿入確認片４０を保持した状態での可動押圧片３０の縦断正面図である。
【図９】可動押圧片３０の平面図である。
【図１０】図７のＢ−Ｂ断面図である。
【図１１】可動押圧片３０の底面図である。
【図１２】可動押圧片３０の内方側面図である。
【図１３】可動押圧片３０の外方側面図である。
【図１４】リード線８０挿入に伴うリード線挿入確認片４０の変位態様を示す説明図（イ），（ロ），（ハ）である。
【図１５】集合した端子台１を据付レール７０に装着した状態を示す平面図である。
【図１６】集合した端子台１を据付レール７０レールに装着した状態を示す側面図である。
【図１７】端子台１の正面拡大図である。尚、画成壁４は断面を付して示す。
【図１８】接続部３，３への結線手順を示す説明図（イ），（ロ）である。ここで杆状導通片２０を縦断して示している。
【図１９】接続部３，３への結線手順を示す説明図（ハ），（ニ）である。ここで杆状導通片２０を縦断して示している。
【図２０】接続部３，３への結線手順を示す説明図（ホ），（ヘ）である。ここで杆状導通片２０を縦断して示している。
【図２１】リード線８０の接続過程を示す説明図（イ），（ロ），（ハ）である。ここで隙間板４５ａ，４５ｂ、リード線８０を横断して示している。
【図２２】従来の端子台１’の結線手順を示す説明図（イ），（ロ）である。ここで杆状導通片２０’を縦断して示している。
【符号の説明】
１，１’  端子台
２  絶縁性基板
３  接続部
４，４’  画成壁
８，８’  操作溝
９ａ，９ｂ  支持突部
１６ａ  内側壁
１６ｂ  外側壁
１７  支持底縁
２０，２０’  杆状導通片
２３，２３’  梃子棒作動口
３０，３０’  可動押圧片
３１  リード線挿入孔
３２，３２’  梃子棒貫通孔
８０  リード線
８２  梃子棒
Ｉ，Ｉ’  開放位置
ＩＩ，ＩＩ’  接続位置
【図１】
2004241152.tif 000003
【図２】
2004241152.tif 000004
【図３】
2004241152.tif 000005
【図４】
2004241152.tif 000006
【図５】
2004241152.tif 000007
【図６】
2004241152.tif 000008
【図７】
2004241152.tif 000009
【図８】
2004241152.tif 000010
【図９】
2004241152.tif 000011
【図１０】
2004241152.tif 000012
【図１１】
2004241152.tif 000013
【図１２】
2004241152.tif 000014
【図１３】
2004241152.tif 000015
【図１４】
2004241152.tif 000016
【図１５】
2004241152.tif 000017
【図１６】
2004241152.tif 000018
【図１７】
2004241152.tif 000019
【図１８】
2004241152.tif 000020
【図１９】
2004241152.tif 000021
【図２０】
2004241152.tif 000022
【図２１】
2004241152.tif 000023
【図２２】
2004241152.tif 000024